(57)【要約】接続される表示画面上で、早送りモードでビデオプログラムを再生可能なビデオ再生装置に使用するための、その早送りモード時にビデオプログラムに関連付けられるオーディオ信号の一部を選択的に再生する装置を開示する。この装置は、１）オーディオ信号における複数のオーディオサブセグメントを識別し、複数のオーディオサブセグメントのそれぞれに関連付けられる重要度係数を決定可能なオーディオフィルタリングプロセッサと、２）オーディオフィルタリングプロセッサに接続され、オーディオフィルタリングプロセッサによって制御されるビデオプロセッサとを含み、オーディオフィルタリングプロセッサは、複数のオーディオサブセグメントのうちの選択されるオーディオサブセグメントをビデオプロセッサに送信し、ビデオプロセッサは、早送りモード時に、選択されるオーディオサブセグメントを、ビデオプログラムからのビデオ信号の対応する部分と同時に再生する。
2004511971.tif 000002
【特許請求の範囲】
【請求項１】
接続される表示画面上に、早送りモードでビデオプログラムを再生可能なビデオ再生装置に使用するための、上記早送りモード時に上記ビデオプログラムに関連付けられるオーディオ信号の一部を選択的に再生する機器であって、
上記オーディオ信号における複数のオーディオサブセグメントを識別し、上記複数のオーディオサブセグメントのそれぞれに関連付けられる重要度係数を決定可能なオーディオフィルタリングプロセッサと、
上記オーディオフィルタリングプロセッサに接続され、上記オーディオフィルタリングプロセッサによって制御されるビデオプロセッサとを含み、
上記オーディオフィルタリングプロセッサは、上記複数のオーディオサブセグメントのうちの選択されるオーディオサブセグメントを上記ビデオプロセッサに送信し、
上記ビデオプロセッサは、上記早送りモード時に、上記選択されるオーディオサブセグメントを、上記ビデオプログラムからのビデオ信号の対応する部分と同時に再生する機器。
【請求項２】
上記オーディオフィルタリングプロセッサは、上記複数のオーディオサブセグメントの識別を、上記複数のオーディオサブセグメントのそれぞれの時間の間における上記オーディオ信号に関連付けられるカテゴリに応じて行うことができる請求項１記載の機器。
【請求項３】
上記カテゴリは、上記オーディオ信号における静寂時間、雑音時間、音声時間、及び、音楽時間のうちの少なくとも１つの時間を含む請求項２記載の機器。
【請求項４】
上記カテゴリは更に、上記音声時間の間に検出される複数のキーワード及び上記音声時間の間に検出されるアクセントのレベルのうち少なくとも１つを含む請求項３記載の機器。
【請求項５】
上記オーディオフィルタリングプロセッサは、上記重要度係数を、上記カテゴリの関数として決定する請求項４記載の機器。
【請求項６】
上記オーディオフィルタリングプロセッサは、上記早送りモード時に、比較的高い重要度係数を有する選択されるオーディオサブセグメントを上記ビデオプロセッサに送信する請求項５記載の機器。
【請求項７】
上記オーディオフィルタリングプロセッサは、上記オーディオ信号における上記静寂時間、上記雑音時間、及び、上記音楽時間のうち少なくとも１つの時間に関連付けられる選択されるオーディオセグメントは上記ビデオプロセッサに送信しない請求項６記載の機器。
【請求項８】
複数のビデオ信号を格納可能な記憶デバイスと、
上記記憶デバイスに格納される第１の選択されるビデオ信号を取出しし、上記第１の選択されるビデオ信号から、接続される表示画面上に表示可能な再生ビデオ信号を生成可能なビデオ再生回路とを含むビデオ再生装置であって、
請求項１に記載の機器を更に含む装置。
【請求項９】
接続される表示画面上に、早送りモードでビデオプログラムを再生可能なビデオ再生装置に使用するための、上記早送りモード時に上記ビデオプログラムに関連付けられるオーディオ信号の一部を選択的に再生する方法であって、
上記オーディオ信号における複数のオーディオサブセグメントを識別するステップと、
上記複数のオーディオサブセグメントのそれぞれに関連付けられる重要度係数を決定するステップと、
上記早送りモード時に、上記複数のオーディオサブセグメントのうちの上記選択されるオーディオサブセグメントを、上記ビデオプログラムからのビデオ信号の対応する部分と同時に再生するステップとを含む方法。
【請求項１０】
上記識別ステップは更に、上記複数のオーディオサブセグメントのそれぞれの時間の間における上記オーディオ信号に関連付けられるカテゴリに応じて上記複数のオーディオサブセグメントを識別するサブステップを含む請求項９記載の方法。
【請求項１１】
上記カテゴリは、上記オーディオ信号における静寂時間、雑音時間、音声時間、及び、音楽時間のうちの少なくとも１つの時間を含む請求項１０記載の方法。
【請求項１２】
上記カテゴリは更に、上記音声時間の間に検出される複数のキーワード及び上記音声時間の間に検出されるアクセントのレベルのうち少なくとも１つを含む請求項１１記載の方法。
【請求項１３】
上記決定ステップは、上記重要度係数を、上記カテゴリの関数として決定するサブステップを含む請求項１２記載の方法。
【請求項１４】
上記選択されるオーディオサブセグメントを再生するステップは、上記早送りモード時に比較的高い重要度係数を有する選択されるオーディオサブセグメントを再生するサブステップを含む請求項１３記載の方法。
【請求項１５】
上記選択されるオーディオサブセグメントを再生するステップは、上記オーディオ信号における上記静寂時間、上記雑音時間、及び、上記音楽時間のうちの少なくとも１つの時間に関連付けられる選択されるオーディオサブセグメントは外すサブステップを含む請求項１４記載の方法。
【発明の詳細な説明】
【０００１】
［発明の属する技術分野］
本発明は一般的に、ビデオ再生装置、及び、より詳細には、オーディオトラックの選択された部分と共にビデオを早送りモードで再生するシステムに関する。
【０００２】
［発明の背景］
様々な種類のビデオ再生装置が市場において入手可能である。多くの人は、ビデオテープレコーダ（ＶＴＲ）とも称されるビデオカセットレコーダ（ＶＣＲ）を所有するか又はよく知っている。最近では、磁気カセットテープではなくコンピュータ磁気ハードディスクを使用してビデオプログラムを格納するビデオレコーダが登場した。例えば、ＲｅｐｌａｙＴＶ（商標）レコーダ及びＴｉＶＯ（商標）レコーダは、例えば、ＭＥＰＧ−２圧縮を使用してハードディスクドライブ上にテレビ番組をデジタル記録する。更に、一部のビデオ再生装置は、磁気ディスクではなく、読み書き可能なデジタル・バーサトル・ディスク（ＤＶＤ）上に記録する。
【０００３】
ビデオプログラムを再生可能な略全てのシステムは、早送り及び巻戻し機能を有する。ビデオプログラムを早送り又は巻戻しする時に、ビデオプログラムのオーディオの部分は通常消されてしまう。この技術において周知であるように、巻戻し又は早送りに関係なくビデオプログラムの速度を増加する又は減少することによって、オーディオに歪みが発生する。品質への影響を最小にして音声の再生を５０％速める方法がある。しかし、これは、高速再生モード及びオーディオトラックの音声のないセグメントには十分ではない。
【０００４】
従って、この技術において、早送りといった高速再生モード時に、再生ビデオ信号を、対応する歪みのないオーディオと共に供給するシステム及び方法が必要である。
【０００５】
［発明の概要］
上述した従来技術の欠点に対処するために、本発明は、接続される表示画面上で、早送りモードでビデオプログラムを再生可能なビデオ再生装置に使用するための、その早送りモード時にビデオプログラムに関連付けられるオーディオ信号の一部を選択的に再生する装置を提供することを目的とする。本発明の有利な実施例では、この装置は、１）オーディオ信号における複数のオーディオサブセグメントを識別し、複数のオーディオサブセグメントのそれぞれに関連付けられる重要度係数を決定可能なオーディオフィルタリングプロセッサと、２）オーディオフィルタリングプロセッサに接続され、オーディオフィルタリングプロセッサによって制御されるビデオプロセッサとを含み、オーディオフィルタリングプロセッサは、複数のオーディオサブセグメントのうちの選択されるオーディオサブセグメントをビデオプロセッサに送信し、ビデオプロセッサは、早送りモード時に、選択されるオーディオサブセグメントを、ビデオプログラムからのビデオ信号の対応する部分と同時に再生する。
【０００６】
本発明の１つの実施例では、オーディオフィルタリングプロセッサは、複数のオーディオサブセグメントの識別を、複数のオーディオサブセグメントのそれぞれの時間の間においてオーディオ信号に関連付けられるカテゴリに応じて行うことができる。
【０００７】
本発明の別の実施例では、カテゴリは、オーディオ信号における静寂時間、雑音時間、音声時間、及び、音楽時間のうちの少なくとも１つの時間を含む。
【０００８】
本発明の更なる実施例では、カテゴリは更に、音声時間の間に検出される複数のキーワード及び音声時間の間に検出されるアクセントのレベルのうち少なくとも１つを含む。
【０００９】
本発明の更なる実施例では、オーディオフィルタリングプロセッサは、重要度係数を、カテゴリの関数として決定する。
【００１０】
本発明の更なる実施例では、オーディオフィルタリングプロセッサは、早送りモード時に、比較的高い重要度係数を有する選択されるオーディオサブセグメントをビデオプロセッサに送信する。
【００１１】
本発明の更なる実施例では、オーディオフィルタリングプロセッサは、オーディオ信号における静寂時間、雑音時間、及び、音楽時間のうち少なくとも１つの時間に関連付けられる選択されるオーディオセグメントをビデオプロセッサに送信しない。
【００１２】
前記は、当業者が以下に示す本発明の詳細な説明を良好に理解できるよう本発明の特徴及び技術的な利点の概要をまとめたものである。本発明の追加の特徴及び利点は、以下に、本発明の特許請求の範囲の対象として説明する。当業者は、開示される概念及び特定の実施例を基礎として使用し、本発明の構造を変更する又は本発明と同じ目的を実行する他の構造を設計することが容易であることを理解するものとする。当業者は更に、そのような等価の構造は、本発明のその広義における目的及び範囲を逸脱しないことを認識するものとする。
【００１３】
詳細な説明に進む前に、本願に使用する特定の単語及び表現を定義付けすることが有利であると思われる。「含む」、「〜からなる」という用語、及び、それらの派生語は、非制限的な包含を指し、「又は」という用語は包含的であるので、「及び／又は」を指し、「関連付けられる」という用語、及び、その派生語は、含む、〜に含まれる、相互接続する、包含する、〜に包含される、接続する、結合する、〜という特性を有する、等を指す。また、「コントローラ」という用語は、少なくとも１つの動作を制御する任意の装置、システム、又は、システムの一部を指し、このような装置は、ハードウェア、ファームウェア、又は、ソフトウェア、若しくは、これらの少なくとも２つの組み合わせに組み込まれてもよい。尚、任意の特定のコントローラに関連付けられる機能性は、ローカル又はリモートで中央管理されても分配されてもよい。特に、コントローラは、１つ以上のアプリケーションプログラム及び／又はオペレーティングシステムプログラムを実行させる１つ以上のデータプロセッサ、関連付けられる入力／出力装置、及び、関連付けられるメモリを含む。特定の単語及び表現の定義は、本願全体を通して与えられており、当業者は、このような定義のうちの多くは、さもなければ、ほとんどは、定義される単語及び表面の従来のみならず将来における使用にも適用されることを理解するものとする。
【００１４】
［発明の詳細な説明］
本発明及びその利点をより完全に理解するために、添付図面と共に以下の説明を参照する。この説明では、同様の符号は、同様の対象物を示す。
【００１５】
以下に説明する図１乃至図５、及び、本願において本発明の原理を説明するために使用する様々な実施例は、例示的に過ぎず、本発明の範囲を制限するものではない。当業者は、本発明の原理は、任意の好適に構成されるビデオ再生装置に組み入れられることを理解するものとする。
【００１６】
図１は、本発明の１つの実施例によるビデオ再生装置１５０及びテレビ受像機１０５を示す。ビデオ再生装置１５０は、外部情報源、例えば、ケーブルテレビジョンサービスプロバイダ（ケーブル会社）、ローカルアンテナ、インターネット、又は、ＤＶＤ若しくはＶＨＳテーププレーヤから入来テレビジョン信号を受信し、視聴者によって選択されるチャンネルをテレビ受像機１０５に送信する。記録モードでは、ビデオ再生装置１５０は入来無線周波数（ＲＦ）テレビジョン信号を変調してベースバンドビデオ信号を生成し、この信号は、ビデオ再生装置１５０内にあるか又は接続される記録媒体に記録及び格納される。再生モードでは、ビデオ再生装置１５０はユーザによって選択された格納されているベースバンドビデオ信号（即ち、プログラム）を記録媒体から読出しし、それをテレビ受像機１０５に送信する。
【００１７】
例えば、ビデオ再生装置１５０が、ビデオテープレコーダ（ＶＴＲ）とも称されるビデオカセットレコーダ（ＶＣＲ）である場合、ビデオ再生装置１５０は、磁気カセットテープに入来テレビジョン信号を格納し、磁気カセットテープから入来テレビジョン信号を引出しする。ビデオ再生装置１５０が、例えば、ＲｅｐｌａｙＴＶ（商標）レコーダ又はＴｉＶＯ（商標）レコーダといったディスクドライブ型装置である場合、ビデオ再生装置１５０は、磁気カセットテープではなくコンピュータ磁気ハードディスクに入来テレビジョン信号を格納し、コンピュータ磁気ハードディスクから入来テレビジョン信号を引出しする。他の実施例では、ビデオ再生装置１５０は、ローカルの読み書き可能な（Ｒ／Ｗ）デジタル・バーサトル・ディスク（ＤＶＤ）又はＲ／Ｗ　ＣＤ−ＲＯＭに格納し且つローカルの読み書き可能な（Ｒ／Ｗ）デジタル・バーサトル・ディスク（ＤＶＤ）又はＲ／Ｗ　ＣＤ−ＲＯＭから引出ししてもよい。従って、ローカルの記録媒体は、固定されても（即ち、ハードディスクドライブ）又は着脱可能にされてもよい（即ち、ＤＶＤ、ＣＤ−ＲＯＭ）。
【００１８】
ビデオ再生装置１５０は、赤外線（ＩＲ）センサ１６０を含み、視聴者によって操作される遠隔制御装置からのコマンド（例えば、チャンネルの番号の制御、音量調節、記録、再生、早送り（ＦＦ）、及び、巻戻し等）を受信する。テレビ受像機１０５は従来のテレビジョンであって、画面１１０、赤外線（ＩＲ）センサ１１５、及び、１つ以上の手動制御部１２０（点線で示す）を含む。ＩＲセンサ１１５も、試聴者によって操作される遠隔制御装置からのコマンド（音量調節、電源オンオフ等）を受信する。
【００１９】
尚、ビデオ再生装置１５０は特定の種類の情報源からの特定の種類の入来テレビジョン信号を受信するのに制限されるわけではない。上述したように、外部情報源は、ケーブルサービスプロバイダ、従来のＲＦ放送アンテナ、衛星放送受信アンテナ、インターネット接続、又は、例えば、ＤＶＤプレーヤ又はＶＨＳテーププレーヤといった他のローカル記録装置であってもよい。一部の実施例では、ビデオ再生装置１５０は、記録することはできないが、着脱可能なＤＶＤ又はＣＤ−ＲＯＭから引出しされるテレビジョン信号を再生することだけが可能である場合がある。従って、入来信号はデジタル信号、アナログ信号、又は、インターネットプロトコル（ＩＰ）パケットであってよい。しかし、本発明の原理の説明を単純且つ明快にするよう、以下の説明は、ビデオ再生装置１５０はケーブルサービスプロバイダから入来テレビジョン信号（アナログ及び／又はデジタル）を受信する実施例に関する。しかし、当業者は、本発明の原理は、無線放送テレビジョン信号、ローカル記録システム、ＭＥＰＧデータを含むＩＰパケットの入来ストリーム等に共に使用するのに容易に適用できることを理解するものとする。
【００２０】
図２は、本発明の１つの実施例による例示的なビデオ再生装置１５０をより詳細に示す。ビデオ再生装置１５０は、ＩＲセンサ１６０、ビデオプロセッサ２１０、ＭＰＥＧ２エンコーダ２２０、ハードディスクドライブＦｒｅｃｏｒ、ＭＥＰＧ２デコーダ／ＮＴＳＣエンコーダ２４０、及び、ビデオレコーダ（ＶＲ）コントローラ２５０を含む。ビデオ再生装置１５０は更に、ビデオバッファ２６０、オーディオフィルタリングプロセッサ２７０、及び、フィルタリングアルゴリズム２８０を含む。フィルタリングアルゴリズム２８０は、オーディオフィルタリングプロセッサ２７０によって実行される一連のプログラム命令としてオーディオフィルタリングアルゴリズムを格納するメモリとして具現化される。ＶＲコントローラ２５０は、ビデオ再生装置１５０の全体の動作を管理し、全体の動作には、視聴モード、記録モード、再生モード、早送り（ＦＦ）モード、巻戻しモード等が含まれる。
【００２１】
視聴モードでは、ＶＲコントローラ２５０によって、ケーブルサービスプロバイダからの入来テレビジョン信号は、ビデオプロセッサ２１０によって変調且つ処理され、ハードディスクドライブ２３０に格納又はハードディスクドライブ２３０から引出しされることなく、テレビ受像機１０５に送信される。ビデオプロセッサ２１０は、例えば、ＴｒｉＭｅｄｉａ（ＴＭ）１１００メディアプロセッサであり、無線周波数（ＲＦ）フロントエンド回路を含み、これは、ケーブルサービスプロバイダから入来テレビジョン信号を受信し、ユーザによって選択されるチャンネルに合わせ、選択されたＲＦ信号を、テレビ受像機１０５に表示するのに好適なベースバンドテレビジョン信号（例えば、スーパビデオ信号）に変換する。ビデオプロセッサ２１０は更に、ＭＰＥＧ２デコーダ／ＮＴＳＣエンコーダ２４０からの従来のＮＴＳＣ信号を（ビデオバッファ２６０にバッファリングされる後に）受信し、ベースバンドテレビジョン信号（例えば、スーパビデオ信号）をテレビ受像機１０５に送信することができる。
【００２２】
記録モードでは、ＶＲコントローラ２５０によって、入来テレビジョン信号はハードディスクドライブ２３０に格納される。ＶＲコントローラ２５０の制御下で、ＭＰＥＧ２エンコーダ２２０は、ケーブルサービスプロバイダから入来テレビジョン信号を受信し、受信したＲＦ信号をＭＰＥＧフォーマットに変換し、ハードディスクドライブ２３０に格納する。再生モードでは、ＶＲコントローラ２５０は、ハードディスクドライブ２３０に命令して、格納されたテレビジョン信号（即ち、プログラム）をＭＰＥＧ２デコーダ／ＮＴＳＣエンコーダ２４０に供給させる。ＭＰＥＧ２デコーダ／ＮＴＳＣエンコーダ２４０は、ハードディスクドライブ２３０からのＭＥＰＧ２データを、例えば、スーパビデオ（Ｓビデオ）信号に変換し、この信号は、ビデオプロセッサ２１０によってテレビ受像機１０５に送信される前に、ビデオバッファ２６０にバッファリングされる。
【００２３】
尚、ＭＰＥＧ２エンコーダ２２０及びＭＥＰＧ２デコーダ／ＮＴＳＣエンコーダ２４０に使用するＭＥＰＧ２規格は例示的に過ぎない。本発明の別の実施例では、ＭＰＥＧエンコーダ及びデコーダは、ＭＥＰＧ１、ＭＰＥＧ２、ＭＰＥＧ４、及び、ＭＰＥＧ７規格のうち１つ以上に準拠し得る。
【００２４】
本願及び本発明の特許請求の範囲の目的において、ハードディスクドライブ２３０は、任意の読み書き可能な大容量記憶装置を含むものとし、この大容量記憶装置には、読み書き用デジタル・バーサトル・ディスク（ＤＶＤ−ＲＷ）、書換え可能なＣＤ−ＲＯＭ、ＶＣＲテープ等用の従来の磁気ディスクドライブ及び光学ディスクドライブが含まれる。実際に、その意味で、ハードディスク装置２３０は従来のように、ビデオ再生装置１５０に永久的に埋め込まれて固定される必要はない。むしろ、ハードディスクドライブ２３０は、記録ビデオプログラムを格納するための任意の大容量装置を含む。従って、ハードディスクドライ２３０は、取り付け有れる周辺ドライブ又は着脱可能なディスクドライブ（埋め込まれていても、取り付けられていてもよい）を含み、例えば、読み書き用ＤＶＤ又は書換え可能なＣＤ−ＲＯＭを含むジュークボックス装置が挙げられる。更に、本発明の有利な実施例では、ハードディスクドライブ２３０は、ビデオ再生装置１５０がネットワーク接続（例えば、インターネットプロトコル（ＩＰ）接続）を介しアクセスし制御する外部の大容量記憶装置を含んでもよく、例えば、ユーザの家庭用パーソナルコンピュータ（ＰＣ）におけるディスクドライブ、又は、ユーザのインターネットサービスプロバイダ（ＩＳＰ）のサーバ上のディスクドライブが挙げられる。
【００２５】
再生モード時には、ＶＲコントローラ２５０は、ＩＲセンサ１６０を介しユーザから早送り（ＦＦ）コマンドを受信する。早送りモードでは、ビデオ再生装置１５０は、ビデオバッファ２６０、オーディオフィルタリングプロセッサ２７０、及び、フィルタリングアルゴリズム２８０を使用して、最小のピッチ歪みでオーディオ信号の選択される一部を再生できる。早送りコマンドを受信すると、ＶＲコントローラ２５０は、ハードディスクドライブ２３０及びＭＰＥＧ２デコーダ／ＮＴＳＣエンコーダ２４０に、早送り速度でビデオを再生するようにさせる。しかし、ＶＲコントローラ２５０は更に、ビデオプロセッサに命令し、オーディオ信号の供給源として、ＭＰＥＧ２デコーダ／ＮＴＳＣエンコーダ２４０のオーディオ出力を受信することを停止させる。その代わり、ビデオプロセッサ２１０は、オーディオ信号の供給源として、オーディオフィルタリングプロセッサ２７０の出力からオーディオ信号を受信するよう切替えられる。
【００２６】
図３は、本発明の１つの実施例に従って、ビデオバッファ２６０（又はハードディスクドライブ２３０）に格納される例示的なビデオプログラムからのＮ個のビデオセグメントとＮ個の対応するオーディオセグメントを示す。Ｎ個のビデオセグメントは、例示的なビデオセグメント（ＶＳ）３０１乃至３０５を含み、それぞれ、ＶＳ１、ＶＳ２、ＶＳ３、ＶＳ４、及びＶＳｎと名付けられる。オーディオセグメントは、対応する例示的なオーディオセグメント３１１乃至３１５を含み、それぞれ、ＡＳ１、ＡＳ２、ＡＳ３、ＡＳ４、及び、ＡＳｎと名付けられる。
【００２７】
第１のモードでは、オーディオトラックは分割されて、ハードディスクドライブ２３０上に格納される。オーディオトラックのセグメントは、比較的長い時間の記録音を含む。これらの記録音の時間には、オーディオトラックにおける完全な文章又はフレーズを含み、例えば、音声、音楽のマルチプル・バー（ｍｕｌｔｉｐｌｅ ｂａｒｓ）、不規則的な雑音のする時間等を有する。オーディオフィルタリングプロセッサ２７０は、ハードディスクドライブ２３０から直接オーディオトラックを読出しし、選択されるセグメントをビデオプロセッサ２１０に送信する。各セグメントには「重要度係数（ＩＦ）」が割当てられ、これは、高速モードで再生されるセグメントを選択する際に使用する。フィルタリングアルゴリズムは相関されるべきオーディオセグメントを選び出し、これは、ビデオが、高速再生モードで表示される際に再生される。
【００２８】
早送りは、その再生速度が異なる場合があり、アルゴリズムはその基準を適宜調節する。一般的に、セグメントは低速では歪みなく再生されるが、単語又はセグメントのうちの小さい「サブセグメント」の方が幾らかの歪みもなく高速で再生される可能性が高い。サブセグメントは、オーディオトラックの一部であり、そのセグメント内に始まりと終わりがある。例えば、音声トラックでは、サブセグメントは、１つの単語、又は、単語間のポーズを含む。サブセグメントは選択され、セグメントモードと同様にビデオプロセッサ２１０に送信される。
【００２９】
第２のモードでは、オーディオフィルタリングプロセッサ２７０は、ビデオバッファ２６０からオーディオトラックを読出しする。オーディオフィルタリングプロセッサ２７０は、上述したようなセグメント及びセグメント内のサブセグメントを検出し、次に、分類し、重要度係数（ＩＦ）を、「進行中（ｏｎ ｔｈｅ ｆｌｙ）」にセグメントに関連付ける。オーディオ処理が行われる間に、ビデオトラックは、ビデオバッファ２６０によってある時間の間遅延され、その後、再生のためにオーディオトラックと合わされる。
【００３０】
図４は、本発明の１つの実施例に従って、例示的なオーディオセグメント３１１の複数のオーディオ及び対応する重要度係数（ＩＦ）を示す。オーディオサブセグメントは、例示的なオーディオサブセグメント４０１乃至４０９を含み、それぞれ、ＡＳ１−ＳＳ１、ＡＳ１−ＳＳ２、ＡＳ１−ＳＳ３、ＡＳ１−ＳＳ４、ＡＳ１−ＳＳ５、ＡＳ１−ＳＳ６、ＡＳ１−ＳＳ７、ＡＳ１−ＳＳ８、及び、ＡＳ１−ＳＳ９と名付けられる。オーディオサブセグメントは更に、例示的な重要度係数４１１乃至４１９を含み、これらは、それぞれＩＦ１、ＩＦ２、ＩＦ３ＩＦ４、ＩＦ５、ＩＦ６、ＩＦ７、ＩＦ８、及び、ＩＦ９と名付けられる。
【００３１】
第１のモードでは、オーディオトラックは分割されてハードディスクドライブ２３０に格納される。オーディオフィルタリングプロセッサ２７０は、ハードディスクドライブ２３０から直接オーディオトラックを読出しし、選択されるサブセグメントをビデオプロセッサ２１０に送信する。フィルタリングアルゴリズムによって、ビデオが高速再生モードで表示される際に再生されるべきオーディオサブセグメントを選び出す。
【００３２】
早送りは、再生速度が異なる場合もあり、アルゴリズムはその基準を適宜調節する。一般的に、セグメントは、低速では歪みがなく再生されるが、単語又はセグメントの小さい「サブセグメント」の方が幾らかの歪みもなく高速再生される可能性が高い。サブセグメントは選択され、上述したセグメントモードと同様にビデオプロセッサ２１０に送信される。
【００３３】
第２のモードでは、オーディオフィルタリングプロセッサ２７０は、ビデオバッファ２６０からオーディオトラックを読出しする。オーディオフィルタリングプロセッサ２７０は、上述したようにセグメント内のサブセグメント（静寂、即ち、ポーズ、及び、音声）を検出し、次に、分類して、重要度係数をサブセグメントに「進行中」に関連付ける。オーディオ処理が行われる間、オーディオトラックは、ビデオバッファ２６０によってある時間の間遅延され、次に、オーディオトラックと合わせられる。キーワードスポッティング及びアクセント検出技術も使用されて、より細やかな粒度のＩＦ計算が構築される。
【００３４】
図５は、本発明の１つの実施例による例示的なビデオ再生装置１５０の動作を示すフローチャートである。ユーザの遠隔制御器から早送りコマンドが、ＶＲコントローラ２５０によって受信されるものとして説明する（処理ステップ５０５）。ＶＲコントローラ２５０は、ＦＦの速度を決定し、その決定をオーディオフィルタリングプロセッサ２７０に送信するものとして説明する。再生ビデオの選択される部分は、次に、ビデオバッファ２７０にバッファリングされる（処理ステップ５１０）。
【００３５】
オーディオフィルタリングプロセッサ２７０は、ビデオバッファ２６０からオリジナルのオーディオトラックを読出しし、オーディオセグメントを分析し、次に、カテゴリ（即ち、静寂、音楽、音声雑音等）に応じてサブセグメントを生成するものとして説明する（処理ステップ５１５）。オーディオフィルタリングプロセッサ２７０は、音声サブセグメントに対しキーワードスポッティング及びアクセント検出を行う。オーディオフィルタリングプロセッサ２７０は、次に、重要度係数を全てのサブセグメントに「進行中」に割当てる（処理ステップ５２０）。
【００３６】
オーディオフィルタリングプロセッサ２７０は、フィルタリングアルゴリズム２８０を使用し、選択されるオーディオサブセグメントのビデオプロセッサ２１０への転送を予定する。アルゴリズム２８０を使用して、割当てられた重要度係数に応じて、適切なオーディオサブセグメントが対応するビデオセグメントに合わせられる（処理ステップ５２５）。ビデオプロセッサ２１０は、次に、早送りビデオセグメント及び選択されるオーディオサブセグメントをＴＶ１０５に転送する（処理ステップ５３０）。
【００３７】
早送りモード及び巻戻しモードにあるビデオレコーダ／再生装置は、オーディオに歪みがもたらされてしまう。歪みは、望ましくない特徴であるので、装置の製造業者は一般的に、早送り又は巻戻し時には音声を消去する再生機構を設計する。本発明では、適切なビデオフレームに対応するオーディオの選択されるセグメント又はサブセグメントは、ビデオセグメントと共に標準速度で再生されるか、ピッチの歪みなくオーディオを圧縮する周知のアルゴリズムを使用して最大で５０％速くビデオセグメントと共に再生される。サブセグメントモードが使用される場合、サブセグメントは、早送り又は巻戻しの速度が上昇するにつれてその寸法は小さくなる。サブセグメントは、１つの速度では２、３の単語を有し、速い速度では１つの単語を含む。オーディオの選択されるセグメントがビデオと合わせて再生されることにより、高速再生モードでのビデオ記録物の視聴の質を改善する。
【００３８】
本発明を詳細に説明したが、当業者は、本発明及びその広義の解釈における目的及び範囲から逸脱することのない様々な変更、置換、及び、代替が可能であることを理解するべきである。
【図面の簡単な説明】
【図１】
本発明の１つの実施例による例示的なビデオ再生装置及びテレビ受像機を示す図である。
【図２】
本発明の１つの実施例による例示的なビデオ再生装置を詳細に示す図である。
【図３】
本発明の１つの実施例に従って、ビデオバッファ（又はハードディスクドライブ）に格納される例示的なビデオプログラムからのビデオセグメント及び対応するオーディオセグメントを示す図である。
【図４】
本発明の１つの実施例による例示的なオーディオセグメント内の複数のオーディオサブセグメントを示す図である。
【図５】
本発明の１つの実施例による例示的なビデオ再生装置の動作を示すフローチャートである。
【図１】
2004511971.tif 000003
【図２】
2004511971.tif 000004
【図５】
2004511971.tif 000005
【国際公開パンフレット】
2004511971.tif 000006
2004511971.tif 000007
2004511971.tif 000008
2004511971.tif 000009
2004511971.tif 000010
2004511971.tif 000011
2004511971.tif 000012
2004511971.tif 000013
2004511971.tif 000014
2004511971.tif 000015
2004511971.tif 000016
2004511971.tif 000017
2004511971.tif 000018
2004511971.tif 000019
2004511971.tif 000020
2004511971.tif 000021
2004511971.tif 000022
【国際公開パンフレット（コレクトバージョン）】
2004511971.tif 000023
【国際公開パンフレット（コレクトバージョン）】
2004511971.tif 000024
【国際調査報告】
2004511971.tif 000025
2004511971.tif 000026
2004511971.tif 000027
2004511971.tif 000028